(57)【特許請求の範囲】
【請求項１】
情報処理方法であって、
第１の端末へログインしている第１のユーザによって送信された、電子クーポン情報を求める第１の要求を受信するステップと、
前記電子クーポン情報を引き換えるように指示するために前記第１の要求が使用されることが解析によって取得された場合、ならびに、前記電子クーポン情報に関連付けられた推奨および共有ポリシに従って、前記電子クーポン情報に対応する少なくとも１個の推奨されたクーポン情報を、前記第１のユーザの友達リストにあり、第２の端末へログインしている、少なくとも１人の第２のユーザへ推奨および共有するステップと、
前記第２の端末へログインしている前記少なくとも１人の第２のユーザが、前記推奨されたクーポン情報を引き換えていることが検出された場合、前記推奨されたクーポン情報に関連付けられた支払ポリシに従って、少なくとも１つの仮想商品を、前記第１のユーザのアカウントへ送信するステップと
を備え、
前記電子クーポン情報を引き換えるように指示するために前記第１の要求が使用されることが解析によって取得されたことは、前記第１の要求にあり、前記電子クーポン情報を引き換えるために使用されるインジケーション情報を取得し、前記インジケーション情報に従って、前記第１のユーザが、前記電子クーポン情報を使用したことを判定することを含む、方法。
【請求項２】
前記電子クーポン情報を引き換えるように指示するために前記第１の要求が使用されることが解析によって取得された場合、ならびに、前記電子クーポン情報に関連付けられた推奨および共有ポリシに従って、前記電子クーポン情報に対応する少なくとも１個の推奨されたクーポン情報を、前記第１のユーザの友達リストにあり、第２の端末へログインしている、少なくとも１人の第２のユーザへ推奨および共有する前記ステップは、
前記第２のユーザを識別するために使用され、前記第１の要求において伝送される識別情報を、解析によって取得するステップと、
前記電子クーポン情報に関連付けられた前記推奨および共有ポリシに従って、前記電子クーポン情報に対応する前記少なくとも１個の推奨されたクーポン情報を、前記識別情報に対応する前記第２のユーザへ送信するステップと
を備える、請求項１に記載の方法。
【請求項３】
情報処理方法であって、
第１の端末へログインしている第１のユーザによって、電子クーポン情報を求める第１の要求を送信するステップであって、前記第１の要求は、前記電子クーポン情報を引き換えるように指示するために使用される、ステップと、
前記第１のユーザの友達リストにあり、第２の端末へログインしている、少なくとも１人の第２のユーザが、前記電子クーポン情報に対応する少なくとも１個の推奨されたクーポン情報を受信し、前記推奨されたクーポン情報を引き換えていることが検出された場合、前記第１の端末へログインしている前記第１のユーザによって、少なくとも１つの仮想商品を受信するステップと
を備え、
前記仮想商品は、前記推奨されたクーポン情報に関連付けられた支払ポリシに従って、サーバによって生成され、
前記第１の要求は、前記電子クーポン情報を引き換えるために使用されるインジケーション情報を伝送し、これによって、前記サーバは、前記インジケーション情報に従って、前記電子クーポン情報を前記第１のユーザが使用したことを判定するようになる、方法。
【請求項４】
前記第１の要求は、前記第２のユーザを識別するために使用される識別情報を伝送し、これによって、前記サーバは、前記識別情報に従って前記第２のユーザを発見し、前記電子クーポン情報に対応する前記少なくとも１個の推奨されたクーポン情報を、前記識別情報に対応する前記第２のユーザへ送信するようになる、請求項３に記載の方法。
【請求項５】
少なくとも１つの仮想商品を、前記第１のユーザのアカウントへ送信するステップは、
第１のプロンプトページを取得するステップであって、前記第１のプロンプトページは、前記第１のユーザに対して、前記電子クーポン情報に対応する前記仮想商品を受信するように促すために使用される、ステップを備え、
前記第１のプロンプトページは、インタラクティブオブジェクトを備え、
前記送信するステップは、前記インタラクティブオブジェクトにおいて動作するタッチ操作を受信し、受信インターフェースを使用することによって、仮想商品受信ページへジャンプし、前記仮想商品を受信するステップを備える、請求項３又は４に記載の方法。
【請求項６】
第１の端末へログインしている第１のユーザによって送信された、電子クーポン情報を求める第１の要求を受信するように構成された要求受信ユニットと、
前記電子クーポン情報を引き換えるように指示するために前記第１の要求が使用されることが解析によって取得された場合、ならびに、前記電子クーポン情報に関連付けられた推奨および共有ポリシに従って、前記電子クーポン情報に対応する少なくとも１個の推奨されたクーポン情報を、前記第１のユーザの友達リストにあり、第２の端末へログインしている、少なくとも１人の第２のユーザへ推奨および共有するように構成された情報送信ユニットと、
前記第２の端末へログインしている前記少なくとも１人の第２のユーザが、前記推奨されたクーポン情報を引き換えていることが検出された場合、前記推奨されたクーポン情報に関連付けられた支払ポリシに従って、少なくとも１つの仮想商品を、前記第１のユーザのアカウントへ送信するように構成された検出ユニットと
を備え、
前記情報送信ユニットはさらに、前記第１の要求にあり、前記電子クーポン情報を引き換えるために使用されるインジケーション情報を取得し、前記インジケーション情報に従って、前記第１のユーザが、前記電子クーポン情報を使用したことを判定するように構成された、サーバ。
【請求項７】
前記情報送信ユニットはさらに、
前記第２のユーザを識別するために使用され、前記第１の要求において伝送される識別情報を、解析によって取得し、
前記電子クーポン情報に関連付けられた前記推奨および共有ポリシに従って、前記電子クーポン情報に対応する前記少なくとも１個の推奨されたクーポン情報を、前記識別情報に対応する前記第２のユーザへ送信するように構成された、請求項６に記載のサーバ。
【請求項８】
第１の端末であって、
前記第１の端末へログインしている第１のユーザによって、電子クーポン情報を求める第１の要求を送信するように構成された送信ユニットであって、前記第１の要求は、前記電子クーポン情報を引き換えるように指示するために使用される、送信ユニットと、
前記第１のユーザの友達リストにあり、第２の端末へログインしている、少なくとも１人の第２のユーザが、前記電子クーポン情報に対応する少なくとも１個の推奨されたクーポン情報を受信し、前記推奨されたクーポン情報を引き換えていることが検出された場合、前記第１の端末へログインしている前記第１のユーザによって、少なくとも１つの仮想商品を受信するように構成された受信ユニットであって、前記仮想商品は、前記推奨されたクーポン情報に関連付けられた支払ポリシに従って、サーバによって生成される、受信ユニットと
を備え、
前記送信ユニットはさらに、前記電子クーポン情報を引き換えるために使用されるインジケーション情報を、前記第１の要求へ追加するように構成され、これによって、前記サーバは、前記インジケーション情報に従って、前記電子クーポン情報を前記第１のユーザが使用したことを判定するようになる、第１の端末。
【請求項９】
前記送信ユニットはさらに、前記第２のユーザを識別するために使用される識別情報を、前記第１の要求へ追加するように構成され、これによって、前記サーバは、前記識別情報に従って前記第２のユーザを発見し、前記電子クーポン情報に対応する前記少なくとも１個の推奨されたクーポン情報を、前記識別情報に対応する前記第２のユーザへ送信するようになる、請求項８に記載の第１の端末。
【請求項１０】
前記受信ユニットはさらに、
第１のプロンプトページを取得するように構成され、前記第１のプロンプトページは、前記第１のユーザに対して、前記電子クーポン情報に対応する前記仮想商品を受信するように促すために使用され、
前記第１のプロンプトページはインタラクティブオブジェクトを備え、
前記受信ユニットはさらに、前記インタラクティブオブジェクトにおいて動作するタッチ操作を受信し、受信インターフェースを使用することによって、仮想商品受信ページへジャンプし、前記仮想商品を受信するように構成された、請求項８又は９に記載の第１の端末。
【請求項１１】
コンピュータ実行可能な命令を記憶し、前記コンピュータ実行可能な命令は、請求項１または３に記載の情報処理方法を実行するために使用される、コンピュータ記憶媒体。
【発明の詳細な説明】
【技術分野】
【０００１】
本開示は、通信技術に関し、特に、情報処理方法、サーバ、第1の端末、およびコンピュータ記憶媒体に関する。
【背景技術】
【０００２】
日常生活において、情報交換は、一般に使用されている手段である。たとえば、情報交換の適用シナリオは、様々な生活サービスシナリオを含む。1つの生活サービスシナリオでは、たとえば、ユーザが、スーパマーケットへ行き、品物を買うために、スーパマーケットによって提供されているショッピングカードを使用し得る。別の生活サービスシナリオでは、ユーザは、燃料のための支払のために、燃料カードを使用し得る。インターネット技術およびインテリジェント端末の発展によって、生活サービスシナリオに関連するそのような情報は、物理的カードと仮想カードとの両方を含み得る。仮想カードの具体的な実施は、チケットである。チケットは、第1の端末の(店舗などの)ユーザと、第2の端末の(消費者などの)ユーザとの間の情報交換のための新たなチャネルを確立するために使用され得る。ここで、第1の端末のユーザは、生活サービスを提供し、第2の端末のユーザは、生活サービスを使用する。情報交換のそのような新規なメカニズムによって、情報は、第1の端末の(店舗などの)ユーザと、第2の端末の(顧客などの)ユーザとの間で交換され得るのみならず、第2の端末の(顧客などの)多数のユーザ間でも交換され得る。すなわち、情報は、様々な交換モードで共有され得る。
【０００３】
現在、前述した交換モードは、情報を共有するために使用され、これによって、ユーザは、受信したチケットを使用した後、そのチケットが使用されていることを示すメッセージがユーザへプッシュされ得るが、ユーザの消費挙動のためのさらなるフィードバックまたは応答は提供されない。そのような情報共有の処理効率および応答速度は高くない。しかしながら、関連する技術では、この問題に対する有効な解決策は未だに存在しない。
【発明の概要】
【発明が解決しようとする課題】
【０００４】
これを考慮して、本発明の実施形態は、少なくとも、既存技術における問題を解決するように、情報処理方法、サーバ、第1の端末、およびコンピュータ記憶媒体を提供することを意図している。
【課題を解決するための手段】
【０００５】
本発明の実施形態の技術的解決策は、以下のように実施される。
【０００６】
本発明の実施形態に従う情報処理方法は、
第1の端末へログインしている第1のユーザによって送信された、電子クーポン情報を求める第1の要求を受信するステップと、
電子クーポン情報を引き換えるように指示するために第1の要求が使用されることが解析によって取得された場合、ならびに、電子クーポン情報に関連付けられた推奨および共有ポリシに従って、電子クーポン情報に対応する少なくとも1個の推奨されたクーポン情報を、第1のユーザの友達リストにあり、第2の端末へログインしている、少なくとも1人の第2のユーザへ推奨および共有するステップと、
第2の端末へログインしている少なくとも1人の第2のユーザが、推奨されたクーポン情報を引き換えていることが検出された場合、推奨されたクーポン情報に関連付けられた支払ポリシに従って、少なくとも1つの仮想商品を、第1のユーザのアカウントへ送信するステップと
を含む。
【０００７】
本発明の実施形態に従う情報処理方法は、
第1の端末へログインしている第1のユーザによって、電子クーポン情報を求める第1の要求を送信するステップであって、第1の要求は、電子クーポン情報を引き換えるように指示するために使用される、ステップと、
第1のユーザの友達リストにあり、第2の端末へログインしている、少なくとも1人の第2のユーザが、電子クーポン情報に対応する少なくとも1個の推奨されたクーポン情報を受信し、推奨されたクーポン情報を引き換えていることが検出された場合、第1の端末へログインしている第1のユーザによって、少なくとも1つの仮想商品を受信するステップと
を含み、
仮想商品は、推奨されたクーポン情報に関連付けられた支払ポリシに従って、サーバによって生成される。
【０００８】
本発明の実施形態に従うサーバは、
第1の端末へログインしている第1のユーザによって送信された、電子クーポン情報を求める第1の要求を受信するように構成された要求受信ユニットと、
電子クーポン情報を引き換えるように指示するために第1の要求が使用されることが解析によって取得された場合、ならびに、電子クーポン情報に関連付けられた推奨および共有ポリシに従って、電子クーポン情報に対応する少なくとも1個の推奨されたクーポン情報を、第1のユーザの友達リストにあり、第2の端末へログインしている、少なくとも1人の第2のユーザへ推奨および共有するように構成された情報送信ユニットと、
第2の端末へログインしている少なくとも1人の第2のユーザが、推奨されたクーポン情報を引き換えていることが検出された場合、推奨されたクーポン情報に関連付けられた支払ポリシに従って、少なくとも1つの仮想商品を、第1のユーザのアカウントへ送信するように構成された検出ユニットと
を含む。
【０００９】
要求受信ユニット、情報送信ユニット、および検出ユニットが処理を実行する場合、中央処理ユニット(CPU)、デジタル信号プロセッサ(DSP)、またはフィールドプログラマブルゲートアレイ(FPGA)が実施のために使用され得る。
【００１０】
本発明の実施形態に従う第1の端末は、
第1の端末へログインしている第1のユーザによって、電子クーポン情報を求める第1の要求を送信するように構成された送信ユニットであって、第1の要求は、電子クーポン情報を引き換えるように指示するために使用される、送信ユニットと、
第1のユーザの友達リストにあり、第2の端末へログインしている、少なくとも1人の第2のユーザが、電子クーポン情報に対応する少なくとも1個の推奨されたクーポン情報を受信し、推奨されたクーポン情報を引き換えていることが検出された場合、第1の端末へログインしている第1のユーザによって、少なくとも1つの仮想商品を受信するように構成された受信ユニットであって、仮想商品は、推奨されたクーポン情報に関連付けられた支払ポリシに従って、サーバによって生成される、受信ユニットと
を含む。
【００１１】
送信ユニットおよび受信ユニットは、CPU、DSP、またはFPGAを使用することによって実施され得る。
【００１２】
本発明の実施形態はさらに、コンピュータ記憶媒体を提供し、コンピュータ記憶媒体は、コンピュータ実行可能な命令を記憶し、コンピュータ実行可能な命令は、前述した情報処理方法を実行するために使用される。
【００１３】
本発明の実施形態における情報処理方法は、第1の端末へログインしている第1のユーザによって送信された、電子クーポン情報を求める第1の要求を受信するステップと、電子クーポン情報を引き換えるように指示するために第1の要求が使用されることが解析によって取得された場合、ならびに、電子クーポン情報に関連付けられた推奨および共有ポリシに従って、電子クーポン情報に対応する少なくとも1個の推奨されたクーポン情報を、第1のユーザの友達リストにあり、第2の端末へログインしている、少なくとも1人の第2のユーザへ推奨および共有するステップと、第2の端末へログインしている少なくとも1人の第2のユーザが、推奨されたクーポン情報を引き換えていることが検出された場合、推奨されたクーポン情報に関連付けられた支払ポリシに従って、少なくとも1つの仮想商品を、第1のユーザのアカウントへ送信するステップとを含む。
【００１４】
本発明の実施形態に従って、電子クーポン情報に関連付けられた推奨および共有ポリシに従って、電子クーポン情報に対応する少なくとも1個の推奨されたクーポン情報が、第1のユーザの友達リストにあり第2の端末へログインしている少なくとも1人の第2のユーザへ推奨および共有され、第2の端末へログインしている少なくとも1人の第2のユーザが、推奨されたクーポン情報を引き換えていることが検出された場合、推奨されたクーポン情報に関連付けられた支払ポリシに従って、少なくとも1つの仮想商品が、第1のユーザのアカウントへ送信され、これによって、ユーザが、受信した電子クーポン情報を使用した後、仮想商品を取得できるように、電子クーポン情報が使用されていることを示す情報がユーザへプッシュされ、ユーザの消費挙動に関するフィードバックおよび応答がさらに提供されるようになる。より高い処理効率およびより高い応答速度が、そのような情報共有によって達成され得る。
【図面の簡単な説明】
【００１５】
【図１】本発明の実施形態に従って情報を交換する様々なハードウェアエンティティの概要図である。
【図２】本発明の実施形態1に従う実施手順の概要図である。
【図３】本発明の実施形態に従うレッドエンベロープ受信処理の複数のUIインターフェースの概要図である。
【図４】本発明の実施形態2に従う実施手順の概要図である。
【図５】本発明の実施形態3に従う実施手順の概要図である。
【図６】本発明の実施形態4に従うコンポジション構成の概要図である。
【図７】本発明の実施形態5に従うコンポジション構成の概要図である。
【図８】本発明の実施形態5に従うハードウェアコンポジション構成の概要図である。
【図９】本発明の実施形態に従う複数の適用シナリオの実施手順の概要図である。
【図１０】本発明の実施形態に従う複数の適用シナリオの実施手順の概要図である。
【図１１】本発明の実施形態に従う複数の適用シナリオの実施手順の概要図である。
【発明を実施するための形態】
【００１６】
技術的解決策の具体的な実施がさらに、添付図面を参照して以下においてさらに詳細に説明される。
【００１７】
図1は、本発明の実施形態に従って情報を交換する様々なハードウェアエンティティの概要図である。図1では、1つまたは複数のサーバ、端末21乃至25、およびネットワーク31が存在し、図1におけるサーバ11は単なる例である。ネットワーク31は、図面に図示されないルータおよびゲートウェイのようなネットワークエンティティを含む。端末デバイス21乃至25は、ワイヤネットワークまたはワイヤレスネットワークを使用することによって、サーバと情報を交換する。端末デバイス21乃至25はまた、互いに情報を交換し得る。端末デバイス21乃至25の各々は、サーバ11から、アプリケーションおよび/またはアプリケーション更新データパッケージおよび/またはアプリケーション関連データ情報もしくはサービス情報をダウンロードし得る。モバイル電話(端末23)、タブレットコンピュータまたはPDA(端末25)、デスクトップコンピュータ(端末22)、PC(端末24)、およびオールインワンPCマシン(端末21)のようなタイプを含む、端末デバイスのタイプが、図1に図示される。たとえば、(WeChatのような)ソーシャルネットワーキング機能を有するアプリケーション、または、(ビデオアプリケーション、オーディオ再生アプリケーション、ゲームアプリケーション、もしくはリーディングソフトウェアのような)エンタテイメント機能を有するアプリケーション、または、(地図ナビゲーションアプリケーションもしくはグループ購入アプリケーションのような)サービス機能を有するアプリケーションのように、ユーザによって要求される様々なアプリケーションが、端末デバイス上にインストールされる。
【００１８】
図1に図示されるシステムに基づいて、交換された情報がチケットまたはクーポン情報である例が使用される。本発明の実施形態を使用することによって、端末デバイス21乃至25の各々は、チケットまたはクーポン情報を使用する第1の端末、または、第1の端末によって共有されるチケットまたはクーポン情報を受信する第2の端末であり得る。もちろん、情報交換処理では、第1の端末が、第2の端末へ変更され得、第2の端末が、第1の端末へ変更され得る。第1の端末および第2の端末はともに、たとえば、通常のユーザによってログインされた端末のように、チケットまたはクーポン情報の受取人に対応する端末であり、WeChatプラットフォームのようなプラットフォームに基づいて、店舗によって発行されたチケットまたはクーポン情報を使用することによって、店舗によって提供される様々なサービスを使用する。第1の端末および第2の端末は、互いに情報を交換するか、または、店舗もしくはサーバと情報を交換し得る。第1の端末および第2の端末へサービスを提供する店舗は、広告主に限定されない。この明細書に含まれるサービスを提供するために店舗によって使用される電子デバイスは、端末、サーバ、または、端末およびサーバを含むシステムアーキテクチャであり得ることに留意されたい。
【００１９】
本発明の実施形態を使用することによって、店舗によって設定されたチケットまたはクーポン情報は、使用のために、第1の端末または第2の端末へ直接送信され得るか、または、WeChatプラットフォームのようなプラットフォームによって集中管理され得る。WeChatプラットフォームのようなプラットフォームは、使用のために、第1の端末または第2の端末へ、チケットまたはクーポン情報を発行する。サーバは、電子クーポン情報に関連付けられた推奨および共有ポリシに従って、電子クーポン情報に対応する少なくとも1個の推奨されたクーポン情報を、第1のユーザの友達リストにあり第2の端末へログインしている少なくとも1人の第2のユーザへ推奨および共有し、第2の端末へログインしている少なくとも1人の第2のユーザが、推奨されたクーポン情報を引き換えていることが検出された場合、推奨されたクーポン情報に関連付けられた支払ポリシに従って、少なくとも1つの仮想商品を、第1のユーザのアカウントへ送信し、これによって、ユーザが、受信した電子クーポン情報を使用した後、仮想商品を取得できるように、電子クーポン情報が使用されていることを示す情報がユーザへプッシュされ、ユーザの消費挙動に関するフィードバックおよび応答がさらに提供されるようになる。より高い処理効率およびより高い応答速度が、そのような情報共有によって達成され得る。
【００２０】
図1の例は単に、本発明の実施形態を実施するためのシステムアーキテクチャの事例であり、本発明の実施形態は、図1に図示されるシステムアーキテクチャへ限定されない。本発明の様々な実施形態は、システムアーキテクチャに基づいて提供される。
【００２１】
実施形態1
本発明のこの実施形態は、情報処理方法を提供する。図2に図示されるように、この方法は、サーバへ適用され、以下のステップを含む。
【００２２】
ステップ101:第1の端末へログインしている第1のユーザによって送信された、電子クーポン情報を求める第1の要求を受信する。
【００２３】
本明細書において、このステップでは、第1の端末および第2の端末はともに、たとえば、通常のユーザによってログインされた端末のように、チケットまたはクーポン情報の受取人に対応する端末であり、WeChatプラットフォームのようなプラットフォームに基づいて、店舗によって発行されたチケットまたはクーポン情報を使用することによって、店舗によって提供される様々なサービスを使用する。第1の端末および第2の端末は、互いに情報を交換するか、または、店舗もしくはサーバと情報を交換し得る。たとえば、店舗によって設定された(チケットまたはクーポンのような)電子クーポン情報を受信した後、第1の端末は、チケットもしくはクーポン情報を、第2の端末へ直接送信し得るか、または、チケットもしくはクーポン情報が、WeChatプラットフォームのようなプラットフォームによって集中管理され得る。WeChatプラットフォームのようなプラットフォームは、チケットまたはクーポン情報を、第2の端末へ発行する。電子クーポン情報は、たとえば、コーヒーショップの「30人民元(RMB)」を有するバウチャー、または、「20%割引」を有するクーポンのような情報量を有する。
【００２４】
ステップ102:電子クーポン情報を引き換えるように指示するために第1の要求が使用されることが解析によって取得された場合、ならびに、電子クーポン情報に関連付けられた推奨および共有ポリシに従って、電子クーポン情報に対応する少なくとも1個の推奨されたクーポン情報を、第1のユーザの友達リストにあり、第2の端末へログインしている、少なくとも1人の第2のユーザへ推奨および共有する。
【００２５】
本明細書において、このステップは具体的に、第2のユーザを識別するために使用され、第1の要求において伝送される識別情報を、解析によって取得し、第1の要求にあり、電子クーポン情報を引き換えるために使用されるインジケーション情報を取得して、インジケーション情報に従って、第1のユーザが、電子クーポン情報を使用したことを判定し、電子クーポン情報に関連付けられた推奨および共有ポリシに従って、電子クーポン情報に対応する少なくとも1個の推奨されたクーポン情報を、識別情報に対応する第2のユーザへ送信するステップである。
【００２６】
ステップ103:第2の端末にログインしている少なくとも1人の第2のユーザが、推奨されたクーポン情報を引き換えていることが検出された場合、推奨されたクーポン情報に関連付けられた支払ポリシに従って、少なくとも1つの仮想商品を、第1のユーザのアカウントへ送信する。
【００２７】
友達によって共有される電子クーポンを人が使用した後、友達へ現金報酬としてレッドエンベロープが与えられることは、ステップ102および103によって実施され得る。図3に図示されるように、友達は、WeChatの「カードおよび提案」入口を通じて、クーポンおよびクーポン共有ページへ入る。友達は、店舗によって友達へ送信されたクーポン(たとえば、A11によって示されるクーポン情報)を、友達の友達へ共有する。友達の友達がクーポンを使用した後、引換要求が送信され(引換要求は、友達の識別情報を含む)、これによって、レッドエンベロープを現金報酬として送信するために、友達の識別情報を使用することによって、友達が発見され得るようになる。その後、クーポンが受信され得ることを示すプロンプトページが、友達のWeChatのページ上に表示される。友達は、「レッドエンベロープを開く」ページをプルするために、「受信」ボタンをクリックする。「レッドエンベロープを開く」ページは、A12によって示される「開く」ボタンを含む。友達は、レッドエンベロープに関する詳細を図示するページに入るために、「開く」ボタンをクリックし、レッドエンベロープを成功裏に受信する。すなわち、第2のユーザが、第1のユーザによって共有されるチケットを引き換えた後、第1のユーザは、対応する報酬として与えられた仮想商品を取得し得る。仮想商品は、レッドエンベロープ、現金、クーポン等を与える。
【００２８】
実施形態2
本発明のこの実施形態は、情報処理方法を提供する。図4に図示されるように、この方法は第1の端末へ適用され、以下のステップを含む。
【００２９】
ステップ201:第1の端末へログインしている第1のユーザが、電子クーポン情報を求める第1の要求を送信する。第1の要求は、電子クーポン情報を引き換えるように指示するために使用される。
【００３０】
本明細書において、このステップでは、第1の端末および第2の端末はともに、たとえば、通常のユーザによってログインされた端末のように、チケットまたはクーポン情報の受取人に対応する端末であり、WeChatプラットフォームのようなプラットフォームに基づいて、店舗によって発行されたチケットまたはクーポン情報を使用することによって、店舗によって提供される様々なサービスを使用する。第1の端末および第2の端末は、互いに情報を交換するか、または、店舗もしくはサーバと情報を交換し得る。たとえば、店舗によって設定された(チケットまたはクーポンのような)電子クーポン情報を受信した後、第1の端末は、チケットもしくはクーポン情報を、第2の端末へ直接送信し得るか、または、チケットもしくはクーポン情報が、WeChatプラットフォームのようなプラットフォームによって集中管理され得る。WeChatプラットフォームのようなプラットフォームは、チケットまたはクーポン情報を、第2の端末へ発行する。電子クーポン情報は、たとえば、コーヒーショップの「30人民元(RMB)」を有するバウチャー、または、「20%割引」を有するクーポンのような情報量を有する。
【００３１】
ステップ202:第1のユーザの友達リストにあり、第2の端末へログインしている、少なくとも1人の第2のユーザが、電子クーポン情報に対応する少なくとも1個の推奨されたクーポン情報を受信し、推奨されたクーポン情報を引き換えていることが検出された場合、第1の端末へログインしている第1のユーザが、少なくとも1つの仮想商品を受信する。
【００３２】
本明細書において、サーバは、第2のユーザを識別するために使用されて第1の要求において伝送される識別情報を、解析によって取得し、第1の要求にあり、電子クーポン情報を引き換えるために使用されるインジケーション情報を取得し、インジケーション情報に従って、第1のユーザが、電子クーポン情報を使用したことを判定し、電子クーポン情報に関連付けられた推奨および共有ポリシに従って、電子クーポン情報に対応する少なくとも1個の推奨されたクーポン情報を、識別情報に対応する第2のユーザへ送信する。仮想商品は、第1の端末へログインしている第1のユーザへ、第2のユーザを識別する識別情報を使用することによって送信され得る。
【００３３】
本明細書において、仮想商品は、推奨されたクーポン情報に関連付けられた支払ポリシに従って、サーバによって生成される。
【００３４】
実施形態3
本発明のこの実施形態は、情報処理方法を提供する。図5に図示されるように、この方法は第1の端末へ適用され、以下のステップを含む。
【００３５】
ステップ301:第1の端末へログインしている第1のユーザが、電子クーポン情報を求める第1の要求を送信する。第1の要求は、電子クーポン情報を引き換えるように指示するために使用される。
【００３６】
本明細書において、このステップでは、第1の端末および第2の端末はともに、たとえば、通常のユーザによってログインされた端末のように、チケットまたはクーポン情報の受取人に対応する端末であり、WeChatプラットフォームのようなプラットフォームに基づいて、店舗によって発行されたチケットまたはクーポン情報を使用することによって、店舗によって提供される様々なサービスを使用する。第1の端末および第2の端末は、互いに情報を交換するか、または、店舗もしくはサーバと情報を交換し得る。たとえば、店舗によって設定された(チケットまたはクーポンのような)電子クーポン情報を受信した後、第1の端末は、チケットもしくはクーポン情報を、第2の端末へ直接送信し得るか、または、チケットもしくはクーポン情報が、WeChatプラットフォームのようなプラットフォームによって集中管理され得る。WeChatプラットフォームのようなプラットフォームは、チケットまたはクーポン情報を、第2の端末へ発行する。電子クーポン情報は、たとえば、コーヒーショップの「30人民元(RMB)」を有するバウチャー、または、「20%割引」を有するクーポンのような情報量を有する。
【００３７】
ステップ302:第1のプロンプトページが取得される。第1のプロンプトページは、第1のユーザに対して、電子クーポン情報に対応する仮想商品を受信することを促すために使用される。
【００３８】
ステップ303:第1のプロンプトページは、(「受信」ボタンのような)インタラクティブオブジェクトを含み、インタラクティブオブジェクトにおいて動作するタッチ操作を受信し、受信インターフェースを使用することによって、仮想商品受信ページへジャンプし、仮想商品を受信する。
【００３９】
本明細書において、第1の端末、第2の端末、およびサーバは、互いにインタラクトする。サーバは、第2のユーザを識別するために使用されて第1の要求において伝送される識別情報を、解析によって取得し、第1の要求にあり、電子クーポン情報を引き換えるために使用されるインジケーション情報を取得し、インジケーション情報に従って、第1のユーザが、電子クーポン情報を使用したことを判定し、電子クーポン情報に関連付けられた推奨および共有ポリシに従って、電子クーポン情報に対応する少なくとも1個の推奨されたクーポン情報を、識別情報に対応する第2のユーザへ送信する。仮想商品は、第1の端末へログインしている第1のユーザへ、第2のユーザを識別する識別情報を使用することによって送信され得る。仮想商品は、推奨されたクーポン情報に関連付けられた支払ポリシに従って、サーバによって生成される。仮想商品は、レッドエンベロープ、現金、クーポン等を与える。
【００４０】
ステップ302および303によって、第1のユーザの友達リストにあり、第2の端末へログインしている、少なくとも1人の第2のユーザが、電子クーポン情報に対応する少なくとも1個の推奨されたクーポン情報を受信し、推奨されたクーポン情報を引き換えていることが検出された場合、クーポンが受信され得ることを示すプロンプトページが、友達のWeChatのページ上に表示され、第1のプロンプトページ(たとえば、図3に図示される「レッドエンベロープを開く」ページ)がプルされる。友達は、ページ上の「受信」ボタンをクリックする。「レッドエンベロープを開く」ページは、A12によって示される「開く」ボタンを含む。友達は、レッドエンベロープに関する詳細を図示するページに入るために、「開く」ボタンをクリックし、レッドエンベロープを成功裏に受信する。
【００４１】
実施形態4
本発明のこの実施形態は、サーバを提供する。図6に図示されるように、サーバは、第1の端末へログインしている第1のユーザによって送信された、電子クーポン情報を求める第1の要求を受信するように構成された要求受信ユニット41と、電子クーポン情報を引き換えるように指示するために第1の要求が使用されることが解析によって取得された場合、ならびに、電子クーポン情報に関連付けられた推奨および共有ポリシに従って、電子クーポン情報に対応する少なくとも1個の推奨されたクーポン情報を、第1のユーザの友達リストにあり、第2の端末へログインしている、少なくとも1人の第2のユーザへ推奨および共有するように構成された情報送信ユニット42と、第2の端末へログインしている少なくとも1人の第2のユーザが、推奨されたクーポン情報を引き換えていることが検出された場合、推奨されたクーポン情報に関連付けられた支払ポリシに従って、少なくとも1つの仮想商品を、第1のユーザのアカウントへ送信するように構成された検出ユニット43とを含む。
【００４２】
本発明のこの実施形態の実施では、情報送信ユニットはさらに、第2のユーザを識別するために使用されて第1の要求において伝送される識別情報を、解析によって取得し、第1の要求にあり、電子クーポン情報を引き換えるために使用されるインジケーション情報を取得し、インジケーション情報に従って、第1のユーザが、電子クーポン情報を使用したことを判定し、電子クーポン情報に関連付けられた推奨および共有ポリシに従って、電子クーポン情報に対応する少なくとも1個の推奨されたクーポン情報を、識別情報に対応する第2のユーザへ送信するように構成される。
【００４３】
実施形態5
本発明のこの実施形態は、第1の端末を提供する。図7に図示されるように、第1の端末は、第1の端末へログインしている第1のユーザによって、電子クーポン情報を求める第1の要求を送信するように構成された送信ユニット51であって、第1の要求は、電子クーポン情報を引き換えるように指示するために使用される、送信ユニット51と、第1のユーザの友達リストにあり、第2の端末へログインしている、少なくとも1人の第2のユーザが、電子クーポン情報に対応する少なくとも1個の推奨されたクーポン情報を受信し、推奨されたクーポン情報を引き換えていることが検出された場合、第1の端末へログインしている第1のユーザによって、少なくとも1つの仮想商品を受信するように構成された受信ユニット52であって、仮想商品は、推奨されたクーポン情報に関連付けられた支払ポリシに従って、サーバによって生成される、受信ユニット52とを含む。
【００４４】
本発明のこの実施形態の実施では、送信ユニットはさらに、第2のユーザを識別するために使用される識別情報を、第1の要求へ追加するように構成され、これによって、サーバは、識別情報に従って、第2のユーザを発見し、電子クーポン情報に対応する少なくとも1個の推奨されたクーポン情報を、識別情報に対応する第2のユーザへ送信するようになる。
【００４５】
本発明のこの実施形態の実施では、送信ユニットはさらに、電子クーポン情報を引き換えるために使用されるインジケーション情報を第1の要求へ追加するように構成され、これによって、サーバは、インジケーション情報に従って、第1のユーザによって第2のユーザへ共有された電子クーポン情報を第2のユーザが使用したことを判定するようになる。
【００４６】
本発明のこの実施形態の実施では、受信ユニットは、
第1のプロンプトページを取得するようにさらに構成され、第1のプロンプトページは、第1のユーザに対して、電子クーポン情報に対応する仮想商品を受信するように促すために使用され、
第1のプロンプトページはインタラクティブオブジェクトを含み、
受信ユニットは、インタラクティブオブジェクトにおいて動作するタッチ操作を受信し、受信インターフェースを使用することによって、仮想商品受信ページへジャンプし、仮想商品を受信するようにさらに構成される。
【００４７】
実施形態6
本明細書では、(第1の端末または第2の端末のような)前述した端末デバイスは、PCのような電子デバイスであり得るか、または、PAD、タブレットコンピュータ、もしくはラップトップのようなポータブル電子デバイスであり得るか、または、モバイル電話のようなインテリジェントモバイル端末であり得ることに留意されたい。これは、本明細書における説明に限定されない。サーバは、クラスタシステムを含み、様々な機能ユニットが1つのユニットへ組み合わされるかまたは個別に配置される、電子デバイスであり得る。クライアントおよびサーバはともに、少なくとも、データを記憶するように構成されたデータベースと、データを処理するように構成されたプロセッサとを含むか、または、サーバに配置された記憶媒体もしくは個別に配置された記憶媒体を含む。
【００４８】
データを処理するように構成されたプロセッサは、処理を実行する場合、マイクロプロセッサ、中央処理ユニット(CPU)、デジタル信号プロセッサ(DSP)、またはフィールドプログラマブルゲートアレイ(FPGA)を使用することによって実施され得る。記憶媒体は、動作命令を含む。動作命令は、コンピュータ実行可能なコードであり得る。本発明の実施形態における情報処理方法の手順におけるステップは、動作命令を使用することによって実施される。
【００４９】
(第1の端末または第2の端末のような)端末デバイスおよびサーバが、ハードウェアエンティティS11として使用される例が、図8に図示される。装置は、プロセッサ61、記憶媒体62、および少なくとも1つの外部通信インターフェース63を含む。プロセッサ61、記憶媒体62、および外部通信インターフェース63は、バス64を介して接続される。
【００５０】
本明細書において、(第1の端末または第2の端末のような)端末デバイスおよびサーバの前述した説明は、前述した方法の説明に類似していることに留意されたい。同じ方法の有益な効果の説明に関する詳細は、再度説明されない。本開示のクライアントおよびサーバの実施形態に開示されていない技術的詳細については、本発明の方法実施形態の説明を参照されたい。
【００５１】
本発明のこの実施形態は、例として実際の適用シナリオを使用することによって以下の通り説明される。
【００５２】
本発明のこの実施形態は、この適用シナリオにおいて使用され、チケットが引き換えられた後、還付機能を有する現金報酬技術解決策である。引換後の還付は、ユーザの受取および引換挙動に基づく、目標とされた報酬である。ユーザAによって受信され共有されるクーポンが、ユーザBによって引き換えられた後、店舗によって設定された規則に従って、現金レッドエンベロープ報酬がユーザAへ与えられ得る。この適用シナリオにおいて、既存の技術が使用された場合、ユーザAによって受信されたクーポンがBによって使用された後、クーポンがBによって使用されていることを示すメッセージが、ユーザAへプッシュされる。しかしながら、現在、現金報酬を伝送する機能はない。すなわち、従来のクーポンは、クーポン受信および共有における刺激に関し、割引自体以外のさらなる利益を提供しない。その結果、ユーザは、クーポン受信について乗り気ではない。それゆえ、店舗がさらにプロモーションを拡大することは困難であり、ユーザの受信および共有挙動に基づいて、規則に従って、目標とされた報酬を与えることもまた困難である。
【００５３】
本発明のこの実施形態が、この適用シナリオにおいて使用されるのであれば、前述した問題は解決される。現金報酬は、チケット引換後に与えられ得る。具体的には、チケット引換の特徴に基づく拡張において、クーポンを友達へ共有するシナリオにおいて、ユーザAによって受信および共有されたクーポンがユーザBによって引き換えられた後、店舗の設定に従って、現金報酬がユーザAへ与えられ得、報酬形式は現在、企業レッドエンベロープとして具体化される。特定の規則に従う目標とされた報酬は、ユーザの受信および共有挙動に基づいて、本発明のこの実施形態を使用することによって、店舗によってユーザへ与えられる。受取人とユーザとの間で、利益は、友達によって共有されているクーポンのライフサイクルにおいて平準化される(ユーザが、クーポンの割引を得、引換後に取得される分割クーポンのようなさらなる利益がある)。したがって、店舗のマーケティング機能が大幅に向上され、拡散およびプロモーションが著しく容易とされ、さらに、ユーザの、クーポン受取からクーポン使用までの望ましい体験が、さらに向上される。
【００５４】
本発明のこの実施形態は、この適用シナリオにおいて使用される。チケットおよびレッドエンベロープテンプレートは、バックエンドサーバにおいて設定され、レッドエンベロープテンプレートは、チケットに関連付けられる。ユーザBが、ユーザAによって共有されるクーポンを使用した後、引換イベント非同期処理要求が、バックエンドへ送信される。引換要求は、続いてレッドエンベロープを与える処理に入る。まず、たとえば、バックエンドにおける店舗によって設定されたレッドエンベロープテンプレートの規則に従って、レッドエンベロープが事前指示され、チケットが保存される(レッドエンベロープ量のような情報がチケットに保存される)。一方、バックエンドは、チケット引換メッセージをクライアントへ配信する。ユーザは、このメッセージの下の「受信」ボタンをクリックし、H5のURLをクリックし、チケットを使用することによって、オリジナルのページJSAPIをプルすることによって、レッドエンベロープを受信する。本発明のこの実施形態の具体的な実施処理が、図9乃至図11に図示される。
【００５５】
レッドエンベロープを、チケットの時間シーケンスに関連付ける処理が、図9に図示される。店舗がバックエンドサーバと情報を交換する処理は、以下のステップを含む。
【００５６】
ステップ601および602:生成ページをクリックし、フロントエンドページを表示する。
【００５７】
ステップ603および604:レッドエンベロープバッチをプルする。
【００５８】
ステップ605および606:バッチページ付けリストを送信する。
【００５９】
ステップ607乃至609:バッチをチェックし、別のフィールドをフィルインし、チケット要求を生成する。
【００６０】
ステップ610および611:生成が成功する。
【００６１】
引換還付時間シーケンス処理が、図10に図示される。チケットまたはクーポンのユーザおよび共有者が、店舗およびバックエンドサーバと情報を交換する処理は、以下のステップを含む。
【００６２】
ステップ701および702:チケットを引き換え、引換イベント非同期処理要求を送信する。
【００６３】
ステップ703および704:非同期要求が成功裏に受信され、引換が成功する。
【００６４】
ステップ705乃至708:レッドエンベロープを送信し、レッドエンベロープが受信および配信され得るかをチェックし、事前指示を実行する。
【００６５】
ステップ709および710:レッドエンベロープまたはチケットを返す。
【００６６】
ステップ711乃至715:支払後に返されたレッドエンベロープまたはチケットのような情報を保存し、為替手形チェックIDを要求し、為替手形チェックIDを返し、店舗レッドエンベロープ受信ジャーナルを挿入し、このジャーナルが、成功裏に挿入される。
【００６７】
ステップ716乃至720:チケットメッセージレッドエンベロープURLを配信し、インデクスを挿入し、インデクスの挿入が成功し、プッシュが成功し、送信が成功する。
【００６８】
レッドエンベロープを受信する時間シーケンスの処理が、図11に図示される。チケットまたはクーポンの共有者が、店舗およびバックエンドサーバと情報を交換する処理は、以下のステップを含む。
【００６９】
ステップ801乃至803:H5のURLをクリックし、レッドエンベロープの所有権およびステータスをチェックし、レッドエンベロープまたはチケットを返す。
【００７０】
ステップ804乃至807:パッケージを要求し、パッケージを返す。
【００７１】
ステップ808乃至810:フロントエンドテンプレートおよびパッケージを返し、JSAPIを呼び出し、レッドエンベロープを受信し、受信が成功する。この処理では、JSAPIを呼び出し、レッドエンベロープを受信することは、判定されるべきインターフェース、たとえば、1)コールバックを成功裏に受信するインターフェースと、2)期限切れのレッドエンベロープコールバックのインターフェースとを使用することによって実施される。
【００７２】
本発明の実施形態を使用することによって、クーポン受取人が、クーポン共有に関して乗り気ではないという問題が解決され、クーポンの拡散およびプロモーションが促進される。本発明の実施形態は、店舗が、ユーザの受信および共有挙動のために、目標とされたマーケティング刺激を提供することを助ける。受取人とユーザとの間で、利益は、友達間で共有されているクーポンのライフサイクルにおいて平準化される。
【００７３】
添付図面において使用されるいくつかの用語は、以下のように説明される。
mp:公開プラットフォームチケットのための機能ユニット;
mmbizcardrpmgr:店舗支払ビジネスアカウントが、レッドエンベロープ機能へ向けられているか否かを検出するように構成されたユニット;
mmbizpassbook:レッドエンベロープ管理ユニット;
mmbizpassbookevent:チケットイベント非同期処理ユニット;
mmbizcardrpagent:レッドエンベロープ管理モジュールにおいて支払とインターフェースするプロキシユニット;
mmbizcardmsgcenter:チケットおよびレッドエンベローププッシュユニット;
billchecker:為替手形チェックユニット;
cardflowrecord:店舗とインターフェースするように構成された自己検出ユニット;
共有者インデクス(sharer index):共有側H5におけるページ管理ユニット;
mallwap:ジャーナル記憶ユニット;
mmbizcardrp:レッドエンベロープ管理モジュールにおいて支払とインターフェースするユニット。
【００７４】
本発明の実施形態はさらにコンピュータ記憶媒体を提供する。コンピュータ記憶媒体は、コンピュータ実行可能な命令を記憶し、コンピュータ実行可能な命令は、前述した情報処理方法を実行するために使用される。
【００７５】
この適用例において提供されるいくつかの実施形態では、開示されたデバイスおよび方法は、他の方式で実施され得ることが理解されるべきである。説明されたデバイス実施形態は、単なる典型例である。たとえば、ユニット分割は、単なる論理的な機能分割であり、実際の実施中、他の分割であり得る。たとえば、多数のユニットまたは構成要素が、別のシステムへ組み合わされるか、もしくは統合され得るか、または、いくつかの特徴が、無視され得るか、もしくは実行されないことがあり得る。それに加えて、コンポジション部分間の、表示もしくは議論された相互カップリング、または直接的なカップリング、または、通信接続は、いくつかのインターフェースを使用することによって実施され得る。デバイスまたはユニット間の間接的なカップリングまたは通信接続は、電子的、機械的、または他の形式で実施され得る。
【００７６】
個別の部分として説明されたユニットは、物理的に分離していることも、していないこともあり得、ユニットとして表示された部分は、物理的なユニットであることも、ないこともあり得、1つの場所に配置され得るか、または、多数のネットワークユニット上に分散され得る。これらユニットのいくつかまたはすべては、実施形態の解決策の目的を達成するために、実際の要件に従って選択され得る。
【００７７】
それに加えて、本発明の実施形態におけるすべての機能的ユニットが、1つの処理ユニットへ統合され得るか、または、各機能ユニットが、1つのユニットとして役立つか、または、2つ以上のユニットが、1つのユニットへ統合される。前述した統合されたユニットは、ハードウェアの形式で実施され得るのみならず、ハードウェアに加えて、ソフトウェア機能ユニットの形式でも実施され得る。
【００７８】
当業者であれば、方法実施形態のステップのすべてまたはいくつかが、関連するハードウェアへ指示するプログラムによって実施され得ることを理解し得る。プログラムは、コンピュータ読取可能な記憶媒体に記憶され得る。プログラムが実行される場合、方法実施形態のステップが実行される。前述した記憶媒体は、モバイル記憶デバイス、読取専用メモリ(ROM)、ランダムアクセスメモリ(RAM)、磁気ディスク、または光ディスクのようなプログラムコードを記憶し得る任意の媒体を含む。
【００７９】
あるいは、本開示における統合されたユニットがソフトウェア機能ユニットの形式で実施され、独立した製品として販売または使用される場合、統合されたユニットは、コンピュータ読取可能な記憶媒体に記憶され得る。そのような理解に基づいて、本発明の実施形態の技術的解決策は本質的に、または、既存の技術に貢献する部分は、ソフトウェア製品の形式で実施され得る。コンピュータソフトウェア製品は、記憶媒体に記憶され、本発明の実施形態において説明された方法のステップのすべてまたはいくつかを実行するように、(パーソナルコンピュータ、サーバ、ネットワークデバイス等であり得る)コンピュータデバイスに対して指示するためのいくつかの命令を含む。前述した記憶媒体は、モバイル記憶デバイス、ROM、RAM、磁気ディスク、または光ディスクのように、プログラムコードを記憶し得る任意の媒体を含む。
【００８０】
前述した説明は、本開示の単なる具体的な実施であるが、本開示の保護範囲を限定することは意図されていない。本開示において開示された技術的範囲内で、当業者によって容易に理解され得る任意の変形または置換は、本開示の保護範囲内にあるものとする。したがって、本開示の保護範囲は、特許請求の範囲の保護範囲に従うものとする。
【産業上の利用可能性】
【００８１】
本発明の実施形態に従って、電子クーポン情報に対応する少なくとも1個の推奨されたクーポン情報が、電子クーポン情報に関連付けられた推奨および共有ポリシに従って、第1のユーザの友達リストにあり、第2の端末へログインしている少なくとも1人の第2のユーザへ推奨および共有され、第2の端末へログインしている少なくとも1人の第2のユーザが、推奨されたクーポン情報を引き換えたことが検出された場合、推奨されたクーポン情報に関連付けられた支払ポリシに従って、少なくとも1つの仮想商品が、第1のユーザのアカウントへ送信され、これによって、ユーザが、受信した電子クーポン情報を使用した後、仮想商品を取得できるように、電子クーポン情報が使用されていることを示す情報がユーザへプッシュされ、ユーザの消費挙動に関するフィードバックおよび応答がさらに提供されるようになる。より高い処理効率およびより高い応答速度が、そのような情報共有によって達成され得る。
【符号の説明】
【００８２】
11  サーバ
21  端末
22  端末
23  端末
24  端末
25  端末
31  ネットワーク
41  要求受信ユニット
42  情報送信ユニット
43  検出ユニット
51  送信ユニット
52  受信ユニット
61  プロセッサ
62  記憶媒体
63  外部通信インターフェース
64  バス
S11  ハードウェアエンティティ
【図１】
0006550537.tif 000002
【図２】
0006550537.tif 000003
【図３】
0006550537.tif 000004
【図４】
0006550537.tif 000005
【図５】
0006550537.tif 000006
【図６】
0006550537.tif 000007
【図７】
0006550537.tif 000008
【図８】
0006550537.tif 000009
【図９】
0006550537.tif 000010
【図１０】
0006550537.tif 000011
【図１１】
0006550537.tif 000012